(57)【要約】【課題】床構造の床面支持性と全面断熱の両立を図る床断熱構造を提供すること。【解決手段】大梁２に複数の小梁３を横架した床構造に断熱材を取付けた床断熱構造１において、少なくとも小梁３の下面を覆う梁下部断熱材５と、複数の小梁３のうち隣り合う小梁３の間に充填状態にて設けられる梁間断熱材４と、梁間断熱材４の下面を受ける下地板６とを備えて構成した。このようにして、断熱材が小梁の上面よりも上部に設置されることなく、床支持性を損わずに床断熱構造１の下面において全面断熱が可能な床断熱構造１を実現した。【選択図】図１
2008285945.tif 000002
【特許請求の範囲】
【請求項１】
大梁に複数の小梁を横架した床構造に断熱材を取付けた床断熱構造において、
少なくとも前記小梁の下面を覆う梁下部断熱材と、
前記複数の小梁のうち隣り合う小梁の間に充填状態にて設けられる梁間断熱材と、
前記梁間断熱材の下面の全面を受ける下地板と、
を備えることを特徴とする床断熱構造。
【請求項２】
請求項１に記載された床断熱構造において、
前記梁下部断熱材は、前記下地板の上面にて、小梁の取付離間距離を有して設けられ、
前記下地板は、小梁の下方にて、前記梁下部断熱材を介して設けられることを特徴とする床断熱構造。
【請求項３】
請求項２に記載された床断熱構造において、
前記下地板は、小梁の長手方向の両側面に沿って設定された凸状部を有することを特徴とする床断熱構造。
【請求項４】
請求項３に記載された床断熱構造において、
前記下地板の凸状部は、小梁の長手方向の側面に沿って下地板を折り曲げて形成した突条であることを特徴とする床断熱構造。
【請求項５】
請求項３に記載された床断熱構造において、
前記下地板の凸状部は、小梁の長手方向の側面に沿って下地板に部分的に設けた切欠を立ち上げて形成した突片としたことを特徴とする床断熱構造。
【請求項６】
請求項１に記載された床断熱構造において、
前記梁下部断熱材は、小梁の長手方向に沿った嵌合溝を有し、該嵌合溝が小梁の下部と嵌合し、
前記下地板は、複数の小梁のうち隣り合う小梁に嵌合した前記梁下部断熱材の端面に横架されることを特徴とする床断熱構造。
【請求項７】
請求項６に記載された床断熱構造において、
前記梁下部断熱材は、その外側を保護部材で被覆したことを特徴とする床断熱構造。
【発明の詳細な説明】
【技術分野】
【０００１】
本発明は、大梁に複数の小梁を横架した床構造に断熱材を取付けた床断熱構造に関する。
【背景技術】
【０００２】
従来、床構造に断熱性を与えることを目的とし、複数の小梁と、この小梁の上面に間隔を置いて設置された根太とを備え、隣り合う小梁の間に設けられる梁間断熱材と、小梁の上面にて隣り合う根太の間に設けられる根太間断熱材とを用いた床断熱構造が知られている（例えば、特許文献１参照）。
【特許文献１】特開2000-64577号公報
【発明の開示】
【発明が解決しようとする課題】
【０００３】
しかしながら、従来の床断熱構造にあっては、小梁の下面は床下空間に露呈しており、また、小梁と根太との間及び根太と床面材との間には、床下支持性の低下を回避すべく断熱材が設けられず、したがって、従来の床断熱構造は全面断熱の構造ではない。
すなわち、小梁と根太との間や根太と床面との間に断熱材が設けられないことによって、この部位から熱交換が生じてしまうという問題があった。
【０００４】
本発明は、上記問題に着目してなされたもので、床構造の床面支持性と全面断熱の両立を図る床断熱構造を提供することを目的とする。
【課題を解決するための手段】
【０００５】
上記目的を達成するため、本発明では、大梁に複数の小梁を横架した床構造に断熱材を取付けた床断熱構造において、
少なくとも前記小梁の下面を覆う梁下部断熱材と、
前記複数の小梁のうち隣り合う小梁の間に充填状態にて設けられる梁間断熱材と、
前記梁間断熱材の下面の全面を受ける下地板と、
を備えることを特徴とする。
【発明の効果】
【０００６】
（１）請求項１に記載された発明にあっては、小梁の設置によって形成される小梁間空間が梁間断熱材によって充填される。また、各々の小梁の下面が梁下部断熱材によって覆われる。
すなわち、この床断熱構造では、断熱材が小梁の上面よりも上部に設置されることはなく、床断熱構造の下面において全面断熱が行なわれる。このため、従来の床断熱構造とは異なり、床構造の全面断熱を図る際に床面支持性が低下することがない。
【０００７】
そして、この床断熱構造では、梁間断熱材が小梁間空間にて充填される際、これを受け止める下地板が設けられている。これにより、例えば、梁間断熱材としてボード系断熱材を適用する場合は、これを下地板に載置でき、したがって、釘打ち等により小梁間に取り付けることで懸念される断熱材の割れ、或いは、形状加工により床構造体に取り付けることによる取り付け手間が解消される。また、梁間断熱材を下地板に載置できることから、梁間断熱材として繊維系断熱材を容易に適用でき、これにより小梁間に断熱材を隙間無く充填することが容易となる。
【０００８】
この結果、請求項１に記載の発明によれば、床構造の床面支持性と全面断熱の両立を図ることができる。
【０００９】
（２）請求項２に記載された発明にあっては、請求項１に記載された発明において、梁下部断熱材が下地板の上面にて小梁の取付離間距離を有して設けられ、下地板と梁下部断熱材とがユニットを成す。このため、下地板を小梁の下面から取り付けることにより、複数の小梁にまとめて梁下部断熱材が取り付けられる。
【００１０】
この結果、請求項１に記載された発明の効果に加え、梁下部断熱材の取り付けの容易化の効果を奏する。
【００１１】
（３）請求項３に記載された発明にあっては、請求項２に記載された発明において、下地板は、小梁の長手方向の両側面に沿って設定された凸状部として設けられるため、隣り合う凸状部の間に小梁を嵌め込むことができる。また、例えば、この凸状部を小梁側面に釘打ち、或いは、接着剤にて接合することができる。
【００１２】
この結果、請求項２に記載された発明の効果に加え、梁下部断熱材と小梁との相対的な位置決めの容易化、及び、下地板の外れ落ちが防止されて全面断熱の信頼性向上の効果を奏するものとなる。
【００１３】
（４）請求項４に記載された発明にあっては、請求項３に記載された発明において、下地板の凸状部は、小梁の長手方向の側面に沿って下地板を折り曲げた突条として設けられる。すなわち、突条の間隔（折り曲げられる位置）は、小梁の取付け離間距離に対応させて調節することができ、また、これは施工の現地でも可能である。このため、予め下地板に梁下部断熱材を取り付けておいても、実際の小梁の取付け離間距離に柔軟に応じることができ、小梁の下面に精度よく梁下部断熱材を取り付けることができる。
【００１４】
この結果、請求項３に記載された発明の効果に加え、梁下部断熱材の取り付け容易化と取付け精度の両立の効果を奏するものとなる。
【００１５】
（５）請求項５に記載された発明にあっては、請求項３に記載された発明において、下地板の凸状部は、小梁の長手方向の側面に沿って下地板に部分的に設けた切欠を立ち上げて形成した突片として設けられる。このため、下地板と切欠立ち上げ部とを接合する釘等をこの切欠開口部から着脱すること、すなわち、下地板の下面からの梁下部断熱材の着脱作業が容易となる。
【００１６】
この結果、請求項３に記載された発明の効果に加え、梁下部断熱材の着脱容易化の効果を奏するものとなる。
【００１７】
（６）請求項６に記載された発明にあっては、請求項１に記載された発明において、梁下部断熱材は、小梁の長手方向に沿った嵌合溝を有し、該嵌合溝が小梁の下部と嵌合し、そして、下地板は、複数の小梁のうち隣り合う小梁に前記の如く嵌合した梁下部断熱材の端面に横架される。すなわち、小梁下面よりも上方の位置に設定される梁下部断熱材の端面に下地板が架け渡される。このため、梁間断熱材が小梁の下面から上面まで必要以上に充填されるといった、断熱材の過剰充填を回避できる。また、下地板の設置は、梁下部断熱材の一部たる端面を利用して行なわれ、下地板に対する特別の加工を必要としない。
【００１８】
この結果、請求項１に記載された発明の効果に加え、梁間断熱材の過剰充填回避の容易化の効果を奏するものとなる。
【００１９】
（７）請求項７に記載された発明にあっては、請求項６に記載された発明において、梁下部断熱材は、その外側が保護部材で被覆される。したがって、梁下部断熱材と小梁とを強固に相互固定すべく両者を釘打ち接合した場合、これにより梁下部断熱材が割れたとしても保護部材により梁下部断熱材の所期の形状が維持される。例えば、梁下部断熱材と保護部材とを接着剤により接合しておくと、その形状維持の作用はより実効的なものとなる。また、保護部材により施工及び運搬の際における梁下部断熱材の破損や汚れの防止が図られる。
【００２０】
その結果、請求項６に記載された発明の効果に加え、梁下部断熱材の形状維持及び小梁との強固固定が図られ、全面断熱の信頼性向上の効果を奏するものとなる。
【発明を実施するための最良の形態】
【００２１】
以下、本発明の床断熱構造を実現する最良の形態を、図面に示す実施例１乃至実施例６に基づいて説明する。
【実施例１】
【００２２】
まず、構成を説明する。
図１は実施例１の床断熱構造１の全体図である。
【００２３】
実施例１の床断熱構造１は、図１に示すように、互いに平行配置した２本の大梁２と、この大梁２に横架した複数本の小梁３とから成る床構造から成り、後述するように梁間断熱材４を隣り合う小梁３の間に充填し、小梁３の下面に梁下部断熱材５を取付けて断熱機能を確保した構成である。
【００２４】
図２は実施例１の床断熱構造における断熱部を示す図であり、（ａ）は床断熱構造のＡ−Ａ´断面図であり、（ｂ）は床断熱構造１のＢ−Ｂ´断面図である。
【００２５】
先ず、床断熱構造１の床構造について説明する。大梁２はＣ形鋼から成り、この溝部の開口が対向するように平行配置され、複数の小梁３が、この大梁２に大梁２の長手方向と略直角を成すように接合されている（図１参照）。図２（ｂ）に示すように、この小梁３は角鋼管から成り、また、その端部には大梁２と小梁３とを相互に接合するための取付部材７が溶接固定されている。
【００２６】
この取付部材７は、小梁３の端部上方から水平に突出した水平取付片７１Ｈと、小梁３の端部下方から水平に突出すると共に先端が垂直上方に折り曲げられて形成された垂直取付片７１Ｖを有する。そして、取付部材７の垂直取付片７１Ｖは、大梁２のウエブ２１にボルトＢによって接合され、水平取付片７１Ｈは、大梁２の上部フランジ２２ＵにボルトＢによって接合されている。また、小梁３の下面は、大梁２の下部フランジ２２Ｄよりも上方に位置するように設定されている。
【００２７】
次に、実施例１の床断熱構造１の断熱部分について説明する。図２（ａ）に示すように、小梁３の下面には、小梁３の下面を長手方向に沿って全体を覆う梁下部断熱材５が、接着剤Ｓによって取付けられている。この梁下部断熱材５は、硬質ウレタンフォームから成るボード系断熱材である。
また、梁下部断熱材５の下面には、床構造の外郭と略同形状の下地板６が接着剤Ｓによって取付けられている。この下地板６は、ポリプロピレンから成る板材である。
【００２８】
そして、梁間断熱材４は、小梁３の上面には敷設されないように、その下面の全面が下地板６に載置されることによって、小梁間に充填されている。この梁間断熱材４は、グラスウールから成る繊維系断熱材である。
【００２９】
次に、作用を説明する。
図３は実施例１の床断熱構造における作用説明図であり、（ａ）は梁下部断熱材の取付方法の説明図、（ｂ）は梁間断熱材の取付方法の説明図である。
【００３０】
以下、実施例１の床断熱構造１における作用を、「施工作用」、「断熱作用」及び「床支持作用」に分けて説明する。
【００３１】
［施工作用］
図３に示すように、実施例１の床断熱構造１では、梁下部断熱材５が、床構造に後付される下地板６の上面において予め小梁３の取付離間距離を設けて取付けられており、また、梁下部断熱材５の上面に接着剤が塗布されている。このため、下地板６を床構造の下方から取り付けることによって、複数の小梁５の下面の各々に梁下部断熱材５が一度に取付けられる。
【００３２】
また、図３（ｂ）に示すように、梁間断熱材４は繊維系の断熱材とし、これを小梁３の上方から小梁間における下地板６の上面に載置することによって設置される。一般に、ボード系断熱材を用いるときは、これを釘打ちによって周辺構造体に固定すれば断熱材が破損するおそれがあるため、断熱材を成形加工して周辺構造体に取付ける方法が採られる。このため、断熱材の取付負担は大きいものとなる。この点に関して、実施例１の床断熱構造１にあっては、小梁間に下地板６が存在しているため、小梁間にボード系断熱材を釘打ちにより取り付け或いは断熱材の形状を成形加工して嵌め込むという作業を必要としない。更に、繊維系断熱材を用いることも可能となる。
【００３３】
［断熱作用］
上述のようにして梁下部断熱材５及び梁間断熱材４を設置することにより、小梁３の下面は梁下部断熱材５によって覆われ、また、小梁３の間隔は梁間断熱材４によって充填され、これによって床構造が全面断熱される。また、梁間断熱材４として繊維系断熱材を用いることができるので、小梁間を隙間無く断熱材で充填することが容易となる。
【００３４】
［床面支持作用］
床構造において、小梁３と小梁３の上面に設置する根太（不図示）との間や、根太と根太の上面に設置する床面材（不図示）との間等に断熱材を設置すると、断熱材の低剛性によって床構造の床支持性が低下する。この点に関し、実施例１の床断熱構造１は、上述の如く梁間断熱材４を小梁３の上面よりも上部に設置するものではないため、床構造の全面断熱を図るに際して床支持性を損なうことがない。
【００３５】
次に、効果を説明する。
実施例１の床断熱構造１にあっては、下記に列挙する効果を得ることができる。
【００３６】
(1)大梁２に複数の小梁３を横架した床構造に断熱材を取付けた床断熱構造１において、複数の小梁３のうち隣り合う小梁３の間に充填状態にて設けられる梁間断熱材４と、複数の小梁３の下部に設け、少なくとも小梁３の幅を有する梁下部断熱材５とを備えるため、床構造の床面支持性を損なうことなく全面断熱を実現することができる。
【００３７】
(2)床構造は、梁間断熱材４を保持する下地板６を有するため、梁間断熱材４を載置の方法によって設置でき、釘打ちの方法による接合で生じる断熱材の破損や、断熱材を成型加工して周辺部に取り付ける場合の手間が省かれる。また、梁間断熱材４として、ボード系断熱材ではなく、繊維系断熱材を用いることができる。
【００３８】
(3)床構造は、小梁３の下方から取付けられる下地板６を備え、梁下部断熱材５は、下地板６の上面に小梁３の取付離間距離を有して取付け、下地板は、大梁２と小梁３とで囲まれる下地板６の上面としたため、各々の小梁３に一本ずつ梁下部断熱材５を取付ける手間と、梁間断熱材４の取付手間とを同時に省くことができる。
【００３９】
(4)小梁３の下方に取付けられた下地板６は、大梁２の下部フランジ２２Ｄよりも上方に位置するように設定しているため、小梁３の下面に断熱材を設けても、下階天井梁等の他の部材の上面に干渉する不都合が回避される。
【実施例２】
【００４０】
実施例２は、実施例１の下地板の構成を変更した例である。
【００４１】
まず、構成を説明する。
図４は実施例２の床断熱構造における断熱部を示す図であり、（ａ）は床断熱構造のＡ−Ａ´断面図であり、（ｂ）は床断熱構造のＢ−Ｂ´断面図であり、（ｃ）は下地板の取付態様を示す図である。
【００４２】
図４（ａ）に示すように、実施例２の下地板６は、この下地板６の一部を変形加工して形成した突条（凸状部）６１Ａを備えており、小梁３の両側面にスクリュー釘Ｎによって固定されている。この釘打ちの位置は、小梁３の側面のうち断熱材の上方位置である。
【００４３】
また、図４（ｂ）及び（ｃ）に示すように、この突条６１Ａは、小梁３の長手方向の両側面に沿って連続して設けられている。なお、他の構成は、実施例１と同様であるので、対応する構成に同一符号を付して説明を省略する。
【００４４】
次に作用を説明すると、実施例２の床断熱構造１では、下地板６に突条６１Ａが形成されているため、この突条６１Ａと小梁３の側面とが釘打ちによって強固に固定される。また、突条６１Ａをガイドとして、梁下部断熱材５を小梁３に対向するように位置決めすることができ、下地板６の取り付けが容易となる。なお、他の作用は、実施例１と同様であるので、説明を省略する。
【００４５】
次に、効果を説明する。
実施例２の床断熱構造１にあっては、実施例１の(1)〜(4)の効果に加え、下記の効果を得ることができる。
【００４６】
(５)下地板６は、小梁３の長手方向の両側面に沿って設定された突条６１Ａを有するため、下地板６を小梁３に強固に固定することができることに加え、梁下部断熱材５と小梁３との相対的な位置決めが容易なものとなる。
【実施例３】
【００４７】
実施例３は、実施例２の下地板の凸状部の構成を変更した例である。
【００４８】
まず、構成を説明する。
図５は実施例３の床断熱構造における断熱部を示す図であり、床断熱構造のＡ−Ａ´断面図である。
【００４９】
図５に示すように、実施例３の下地板６は、小梁３の長手方向の側面に沿って下地板６を折り曲げて形成した突条６１Ｂを備え、小梁３の両側面にスクリュー釘Ｎによって固定されている。この釘打ちの位置は、小梁３の側面のうち断熱材の上方位置である。なお、他の構成は、実施例２と同様であるので、対応する構成に同一符号を付して説明を省略する。
【００５０】
次に作用を説明すると、実施例３の床断熱構造１では、下地板６の突条６１Ｂは、下地板６を小梁３の長手方向の側面に沿って折り曲げて形成される。このため、隣り合う突条６１Ｂの間隔（梁下部断熱材５）を、施工の現地で小梁間距離に整合させることができる。また、突条６１Ｂは、下地板６の２倍の厚みを有することから、実施例２に比べて、突条６１Ｂの釘打ち接合部の強度が高いものとなる。なお、他の作用は、実施例２と同様であるので、説明を省略する。
【００５１】
次に、効果を説明する。
実施例３の床断熱構造１にあっては、実施例の(1)〜(4)及び実施例２の(5)の効果に加え、下記の効果を得ることができる。
【００５２】
(６)下地板６の突条６１Ｂは、小梁３の長手方向の側面に沿って下地板６を折り曲げて形成した突条６１Ｂであるため、隣り合う突条６１Ｂの間隔（梁下部断熱材５）を、施工の現地で小梁間距離に整合させることができ、梁下部断熱材５の取付時の位置決めが容易なものとなる。
【実施例４】
【００５３】
実施例４は、実施例２の凸状部の構成を変更した例である。
【００５４】
まず、構成を説明する。
図６は実施例４の床断熱構造の断熱部を示す図であり、（ａ）は床断熱構造１のＡ−Ａ´断面図であり、（ｂ）は下地板の取付態様を示す図である。
【００５５】
図６（ｂ）に示すように、実施例４の下地板６は、小梁３の長手方向の側面に沿って一定の間隔を置いて部分的に設けられた切欠を立ち上げて形成した突片を備え、小梁３の両側面にスクリュー釘Ｎによって固定されている。この釘打ちの位置は、小梁３の側面のうち断熱材の上方位置である（図６（ａ）参照）。なお、他の構成は、実施例２と同様であるので、対応する構成に同一符号を付して説明を省略する。
【００５６】
次に作用を説明すると、下地板６の突片６１Ｃの下部に開口部９が形成されるため、梁下部断熱材５の交換等を目的とした下地板６の取り外しを行なう際、下地板６の下方から切欠位置の開口部９を利用して釘抜きを行うことができる。なお、他の作用は、実施例２と同様であるので説明を省略する。
【００５７】
次に、効果を説明する。
実施例４の床断熱構造にあっては、実施例１の(1)〜(4)及び実施例２の(5)の効果に加え、下記の効果を得ることができる。
【００５８】
(7)下地板６の凸状部は、小梁３の長手方向の側面に沿って下地板６に部分的に設けた切欠を立ち上げて形成した突片６１Ｃとしたため、これによって形成される開口部９から下地板６の着脱作業が可能となる。
【実施例５】
【００５９】
実施例５は、実施例１の梁下部断熱材の構成を変更した例である。
【００６０】
まず、構成を説明する。
図７は実施例５の床断熱構造の断熱部を示す図であり、（ａ）は床断熱構造のＡ−Ａ´断面図であり、（ｂ）床断熱構造のＢ−Ｂ´断面図であり、（ｃ）は梁間断熱材の取付態様を示す図である。
【００６１】
実施例５の断熱部は、図７（ａ）に示すように、Ｃ形の嵌合溝を有する梁下部断熱材５Ａを有する。この梁下部断熱材５Ａは、嵌合溝の内側に接着剤Ｓが塗布されて、小梁３の下面から側面部にかけて固定されている。また、図７（ｂ）に示すように、梁下部断熱材５Ａの下面は、大梁２の下部フランジ２２Ｄよりも上方に位置するように設定されている。
【００６２】
この梁下部断熱材５Ａの接着剤Ｓが塗布された端面Ｆには、ポリプロピレンから成る板材で構成された下地板６Ａが載置されている。そして、この下地板６Ａの上面にはグラスウールから成る繊維系断熱材で構成された梁間断熱材４が載置されており、隣り合う小梁３の間隔が断熱材で隙間無く充填されている。なお、他の構成は、実施例１と同様であるので、対応する構成に同一符号を付して説明を省略する。
【００６３】
以下、実施例５の床断熱構造１における施工作用を説明する。
実施例５の床断熱構造１では、梁下部断熱材５Ａの嵌合溝を小梁３の下部に嵌め込むことによって取り付けられる。図７（ｃ）に示すように、梁下部断熱材５Ａが取り付けられた状態にあっては下地板６Ａを容易に設置でき、これにより梁間断熱材４Ａは小梁３の上面から載置することができる。すなわち、梁間断熱材４Ａとしてボード系断熱材を用いても、釘打ちによって固定する際の断熱材の破損が回避され、或いは、断熱材を成形加工して取り付ける際の手間が省かれる。
【００６４】
また、梁下部断熱材５Ａの端面Ｆは、小梁３の下面から上方に位置しているため、梁間断熱材４Ａの厚み（端面Ｆから小梁３の上面までの高さ）は小梁３の下面から上面までの高さよりも薄くなり、小梁３の側面部において断熱材が過剰に充填されることが防止される。
【００６５】
次に、効果を説明する。
実施例５の床断熱構造１にあっては、実施例１の(1)、（2）及び(4)の効果に加え、下記の効果を得ることができる。
【００６６】
(8)小梁３の下面よりも上方位置に設定された下地板６Ａに梁間断熱材を載置できるため、断熱材の過剰な設置を回避できる。
【実施例６】
【００６７】
実施例６は、実施例５のうち主として梁間断熱材の構成を変更した例である。
【００６８】
まず、構成を説明する。
図８は、実施例６の床断熱構造のＡ−Ａ´断面図である。図８に示すように、梁下部断熱材５Ａの外側は、接着剤Ｓによって取付けられた保護部材８によって覆われている。この保護部材８は、ポリプロピレンの板材をＣ形に折り曲げて形成したものである。なお、他の構成は、実施例５と同様であるので、対応する構成に同一符号を付して説明を省略する。
【００６９】
次に作用を説明する。実施例６の床断熱構造１の作用は、基本的に実施例５の床断熱構造１と同様であるが、全面断熱を実現するうえで有利な作用を奏する。すなわち、地震等による小梁３の歪みに伴って梁下部断熱材５Ａが割れたとしても、梁下部断熱材５Ａが接着剤層を介して保護部材８により被覆されていることから、梁下部断熱材５Ａの健全な形状が維持される。加えて、梁下部断熱材５Ａは、保護部材８によって覆われているため、梁下部断熱材５Ａの輸送時及び取付作業時に、梁下部断熱材５Ａが破損したり汚れたりする頻度が低減される。
【００７０】
次に、効果を説明する。
実施例６の床断熱構造１にあっては、実施例５の(8)の効果に加え、下記の効果を得ることができる。
【００７１】
(9)梁下部断熱材５Ａを保護部材８により被覆したことにより、梁下部断熱材５Ａの割れによる断熱効果の低下が防止でき、床下全面断熱の信頼性が向上する。
【００７２】
(10)梁下部断熱材５Ａは、その外側を保護部材８で被覆されているため、梁下部断熱材５Ａの破損や汚れが防止される。
【００７３】
以上、本発明の床断熱構造を実施例１乃至実施例６に基づき説明してきたが、具体的な構成については、これらの実施例に限られるものではなく、特許請求の範囲の各請求項に係る発明の要旨を逸脱しない限り、設計の変更や追加等は許容される。
【００７４】
実施例１では、繊維系の断熱材を用いる例を示したが、ボード系断熱材を用いても良い。  また、実施例１では、ボード系断熱材として硬質ウレタンフォームを用い、繊維系断熱材としてグラスウールを用いた例を示したが、断熱効果を有する材料であれば、これらに代替してもよいことは言うまでもない。
【００７５】
実施例２、３及び４では、釘を用いて下地板を小梁に接合する例を示したが、ビスその他の乾式接合若しくは接着剤による接合であってもよい。これらの実施例は、下地板に凸状部を設けて、取り付けの容易化や、小梁と下地板との相互接合面を十分に確保して小梁と下地板の相互接合強度の向上等を図る例を示したものである。
【００７６】
実施例５では、接着材によって梁下部断熱材と小梁とを接合させる例を示したが、保護部材の外表面から釘打ちによって接合しても良い。断熱材が破損したとしても保護部材によって断熱材の形状が維持されるからであり、この接合によれば、小梁と梁下部断熱材との強固な相互固定が可能になる。
【００７７】
実施例１乃至６では、梁間断熱材をポリプロピレン製の下地板に載置する例を示したが、この下地板としては種々のものが適用できる。例えば、鉄板や木板でもよく、この場合、梁間断熱材の設置による下地板の撓みが低減される。すなわち、この撓みに起因する小梁と梁間断熱材との境界における隙間の発生を防止でき、断熱効果の低下を抑えることができる。
【００７８】
要するに、大梁に複数の小梁を横架した床構造に断熱材を取付けた床断熱構造において、少なくとも前記小梁の下面を覆う梁下部断熱材と、前記複数の小梁のうち隣り合う小梁の間に充填状態にて設けられる梁間断熱材と、特に、床構造の床面支持性と全面断熱の両立を図るうえで有利な手段である前記梁間断熱材の下面の全面を受ける下地板と、を備えるものであれば、実施例１乃至６には限られることはない。
【図面の簡単な説明】
【００７９】
【図１】図１は実施例１の床断熱構造の全体図である。
【図２】図２は実施例１の床断熱構造における断熱部を示す図であり、（ａ）は床断熱構造のＡ−Ａ´断面図であり、（ｂ）床断熱構造のＢ−Ｂ´断面図である。
【図３】図３は実施例１の床断熱構造における作用説明図であり、（ａ）は下部断熱材の取付方法の説明図であり、（ｂ）は梁間断熱材の取付方法の説明図である。
【図４】図４は実施例２の床断熱構造における断熱部を示す図であり、（ａ）は床断熱構造のＡ−Ａ´断面図であり、（ｂ）床断熱構造のＢ−Ｂ´断面図であり、（ｃ）は下地板の取付態様を示す図である。
【図５】図５は実施例３の床断熱構造における断熱部を示す図であり、床断熱構造のＡ−Ａ´断面図である。
【図６】図６は実施例４の床断熱構造の断熱部を示す図であり、（ａ）は床断熱構造のＡ−Ａ´断面図であり、（ｂ）は下地板の取付態様を示す図である。
【図７】図７は実施例５の床断熱構造の断熱部を示す図であり、（ａ）は床断熱構造のＡ−Ａ´断面図であり、（ｂ）床断熱構造のＢ−Ｂ´断面図であり、（ｃ）は梁間断熱材の取付態様を示す図である。
【図８】図８は実施例６の床断熱構造のＡ−Ａ´断面図である。
【符号の説明】
【００８０】
１  床断熱構造，
２  大梁，
３  小梁，
４，４Ａ  梁間断熱材，
５，５Ａ  梁下部断熱材，
６，６Ａ  下地板，
６１Ａ，６１Ｂ  突条（凸状部），
６１Ｃ  突片（凸状部），
８  保護部材，
Ｆ  梁下部断熱材の嵌合溝の端面
【図１】
2008285945.tif 000003
【図２】
2008285945.tif 000004
【図３】
2008285945.tif 000005
【図４】
2008285945.tif 000006
【図５】
2008285945.tif 000007
【図６】
2008285945.tif 000008
【図７】
2008285945.tif 000009
【図８】
2008285945.tif 000010